(57)【要約】【課題】デジタルカメラやＭＦＰ等の電子機器でオプション機器を接続可能な様に構成されている機器において、誤って間違った機器が接続された場合であっても安全性に問題が無いようにする。【解決手段】電源を供給する第一の電源供給手段と、前記第一の電源供給手段で動作する第一の電子機器に第Ｍ（Ｎ≧Ｍ≧２）の接続装置を使用して接続される第Ｍの電子機器と、第Ｍの電子機器に内蔵され第Ｍの電子機器の属性情報を記憶する第Ｍの属性情報記憶手段と、第二の電源供給手段と、前記第一の電子機器に内蔵され前記第二の電源で動作する前記第Ｍの属性情報を読み取る第Ｍの属性読み取り手段により構成される。【選択図】        図１
2007014150.tif 000002
【特許請求の範囲】
【請求項１】
電源を供給する第一の電源供給手段と、
前記第一の電源供給手段で動作する第一の電子機器に第Ｍ（Ｎ≧Ｍ≧２）の接続装置を使用して接続される第Ｍの電子機器と、
第Ｍの電子機器に内蔵され第Ｍの電子機器の属性情報を記憶する第Ｍの属性情報記憶手段と、
第二の電源供給手段と、
前記第一の電子機器に内蔵され前記第二の電源で動作する前記第Ｍの属性情報を読み取る第Ｍの属性読み取り手段を有する事を特徴とする電子機器。
【請求項２】
前記第二から第Ｎの一つ以上の属性情報に基づいて、前記第一の電源供給手段を制御する電源制御手段を有する事を特徴とする請求項１記載の電子機器。
【請求項３】
文字・図形等を表示可能な表示手段と、
前記第二から第Ｎの一つ以上の属性情報に基づいて、
前記表示手段を制御する事を特徴とする請求項１記載の電子機器。
【請求項４】
可視光の発光が可能な発光手段と、
前記第二から第Ｎの一つ以上の属性情報に基づいて、
前記発光手段を制御する事を特徴とする請求項１記載の電子機器。
【請求項５】
可聴領域の音を発生する音発生手段と、
前記第二から第Ｎの一つ以上の属性情報に基づいて、
前記音発生手段を制御する事を特徴とする請求項１記載の電子機器。
【請求項６】
前記属性情報が第Ｍの機器の電力消費を特定可能な情報を含む事を特徴とする請求項１記載の電子機器。
【請求項７】
前記第Ｍの属性情報が第Ｍの機器の電力消費を特定可能な情報を含む事、
及び前記電源制御手段が前記第二から第Ｎの二つ以上の電力消費の和を持ってなされる事を特徴とする請求項２記載の電子機器。
【発明の詳細な説明】
【技術分野】
【０００１】
本発明は電力を用いて動作する事が可能な電子機器に関する。特に接続装置を用いて２つ以上の電子機器を相互に接続可能な機器に関するものである。
【背景技術】
【０００２】
従来の電子機器においては、電子選択自在で接続可能な複数の電子機器を組み合わされたシステムの電源投入前に全体の電力消費量を特定する為に、使用者が定格銘版やマニュアル等に記載された電力量を合計して算出し動作可能か判定する必要があった。また複数のオプションが選択され組み合われて使用可能な機器において接続可能なオプション機器の判断や組み合わされたシステムの妥当性に関してはマニュアル等で十分な確認を行う必要があった。
【０００３】
印刷装置で使用する電力値を操作者に知らせるものはあった（例えば、特許文献１参照
）。
【特許文献１】特開平０８−１０４０４４号公報
【発明の開示】
【発明が解決しようとする課題】
【０００４】
上記の如く全体電力の判定を使用者が行う必要があったが、十分な確認を行うには手間がかかったり、誤って無効な機器や接続禁止された機器が接続されてしまう可能性が皆無とは言えない。こうした場合予想以上の電力消費量が発生して、機器が誤動作や故障を起こしたり、電池で動作する機器に対して不必要な電力消耗を発生させる可能性がある。
【０００５】
本発明は、以上の点に着目して成されたもので、デジタルカメラやＭＦＰ等の電子機器でオプション機器を接続可能な様に構成されている機器において、誤って間違った機器が接続された場合であっても安全性に問題が無いようにする電子機器を提供することを目的とする。
【課題を解決するための手段】
【０００６】
電源を供給する第一の電源供給手段と、前記第一の電源供給手段で動作する第一の電子機器に第Ｍ（Ｎ≧Ｍ≧２）の接続装置を使用して接続される第Ｍの電子機器と、第Ｍの電子機器に内蔵され第Ｍの電子機器の属性情報を記憶する第Ｍの属性情報記憶手段と、第二の電源供給手段と、前記第一の電子機器に内蔵され前記第二の電源で動作する前記第Ｍの属性情報を読み取る第Ｍの属性読み取り手段を有する。
【発明の効果】
【０００７】
本発明によれば、複数の機器を接続して構成する機器群に対して、主たる電源の投入前に、総電力が規定電力を超えてしまうか否かを判定できるので、その場合に電源投入を防止しする事により安全性を高める事が出来る。また複数の機器の組み合わせが妥当性を欠いていた場合は故障の畏れがあったり、安全性の保障対象外になるのであるが、本発明ではこれを防止する事が出来る。
【発明を実施するための最良の形態】
【０００８】
以下本発明を実施するための最良の形態を、実施例により詳しく説明する。
【実施例】
【０００９】
図１は本発明の好適な実施例の全体を模式的に示す図であり、デジタルカメラ１０２に後述のメモリーカード２１２を接続装置１０１を用いて接続している状態を示している。ここで１０３は２１２の属性を示す情報を記憶する為の属性記憶部であり、本実施例では不揮発性の半導体メモリを用いて実現されている。１０４は２１２の主機能である記憶部である。やはり不揮発性の半導体メモリを用いて実現されるが、記憶容量は１０３より格段に多い。本実施例ではデジタルカメラで撮影された画像情報や動画情報等を記憶する。２１３は後述の補助電源であり、２１４及び接続装置１０１を経由して１０３に電源を供給する。２１４は属性判定部であり、１０３から属性情報を読出し所定の判定を行う。２１７は主電源であり１０２の各部および１０１を経由して１０４に対して電源を供給する。
【００１０】
図２を用いて、デジタルカメラ１０２の説明を行う。デジタルカメラは銀鉛カメラにおけるフィルムの替わりに、２次元画像データを生成可能なイメージセンサー２１１に置き換えたものであり、銀鉛カメラと同様にレンズ群を用いた光学系（不図示）が構成されている。こららの光学系はイメージセンサー２１１の表面に像を結像させて、空間の画像情報をデジタル化して入力することが出来る。２０１は測光回路である。撮影対象となる領域の光量を測定して、コントローラ部２０５に伝える。２０２は絞り制御部である。コントローラ部２０５は、測光回路２０１からの光量情報に基づいて、光学系（不図示）の途中に形成されている電気的に制御可能な絞り機構（不図示）の開放量を制御して、イメージセンサー２１１上に到達する光の強度を加減し、イメージセンサー２１１の出力値が最適になるようにコントローラ部２０５の機能により制御する事ができる。２０３は測距回路である。本実施例では赤外線パルスを被写体に照射して、その反射光の到達時間を測定する事によって、被写体までの距離を得る事が出来る。２０４は焦点制御部である。光学系（不図示）の一部を可動式に構成する事によって、レンズ群の焦点距離をコントローラ部２０５の作用により制御する様に構成されている。
【００１１】
２０５はコントローラ部であり、絞り制御・焦点制御・イメージセンサーからの画像データ入力・画像データ記憶制御等の処理を行う。２１１はイメージセンサーである。平面上にマトリクス状に感光素子が配置されている。この表面に像を結像させることにより、空間のある点の光の強弱に応じて電荷が蓄積される様に構成されている。これらの電荷量を順じＡ／Ｄコンバーターを用いてデジタルデータに変換出来るように構成されている。又イメージセンサー２１１上の各フォトセンサーの入力部にカラーフィルターを形成されており、カラー情報も取り出すことが出来る様に構成されている。２０６は補正回路であり、イメージセンサー２１１からの画像データに対して各種補正を行い、用途に対して適切な画像データを得ることが出来る様に作用する。２０７は操作部あり、スイッチやダイヤルで構成され、使用者が撮影の開始を指示したり、様様な設定をすることが出来る。２０８は表示部でありカラーＬＣＤが用いられており、撮影した画像データを表示したり、２０７の操作部と共に用いられ各種設定値の確認を行う事が出来る。２０９は後述のメモリーカード（ＭＣ）２１２のインターフェース部である。２１２はメモリーカードであり、不揮発性のＦｌａｓｈ  Ｍｅｍｏｒｙで構成され、画像データや付随情報を記憶させることが出来る。
【００１２】
２１０は不揮発性のＥＥＰＲＯＭであり、各種設定情報を記憶する事が出来る。２１３は補助電源であり、本実施例ではコイン型のリチウム電池を使用している。しかしながらマンガン電池・アルカリ電池等の１次電池やニッケル水素電池・リチウムイオン電池等の２次電池であっても構わない。また主電源とは独立して動作するので、主電源投入前にも電源を供給する事が出来る。２１４は属性判定部であり、２１３からの電力で動作する事が可能であり、後述の主電源２１７は遮断されていても動作が停止する事は無い。２１４はＭＣ２１２内部にある前述の属性記憶部１０３から属性データを読み取る事が出来る。本実施例においては、属性情報としてＭＣ２１２の消費電力量を記憶してある。属性記憶部ではこの消費電力量の値が一定以上であるか否かを判定する。２１５は主電源制御部である。主電源２１７の出力を制御する事が出来る。２１６はこのデジタルカメラの使用者が操作する事が出来る電源スイッチである。本デジタルカメラの電源を制御する事が出来る。２１７は主電源である。本実施例では、充電可能なリチウムイオン電池を用いている。２１８は、ＬＥＤである。主電源制御部２１５の制御により、明滅させる事が出来る。電源投入時の異常等を使用者に報知する事が出来る。
【００１３】
次に本実施例の動作について図３のフローチャートを用いて説明する。
【００１４】
ステップＳ３０１では、このデジタルカメラの操作者が電源ＳＷ２１６を押下する。
【００１５】
ステップＳ３０２では、属性判定部２１４が属性記憶部１０３の内容である属性データを読み出す。この属性データの一つにこのデジタルカメラで使用可能か否かの情報を含んでおり、属性判定部ではこの判断を行いその結果を信号として伝える。この判断は電源ＳＷ押下の以前に行っていても良い。
【００１６】
ステップＳ３０３では上記信号を判定して、使用可であればＳ３０４へ進み、使用不可であればステップＳ３０５へ進む。
【００１７】
ステップＳ３０４では、主電源制御部２１５が主電源を投入して、システム全体に電力を供給して動作させる。
【００１８】
ステップＳ３０５では、主電源制御部２１５がＬＥＤ２１５を一定時間点滅させる。
【００１９】
これにより使用者に対して異常事態である事を報知する事ができる。ＬＥＤ点滅の意味はマニュアル等で解説する事で、この事態に対する対処を行う事が可能である。以上が本実施例の動作である。
【００２０】
［第二の実施例］
第二の実施例では、複合型印刷機（ＭＦＰ）に適用した例を説明する。ＭＦＰは紙表面の画像を読み取ってデジタルデータに変換するスキャナー部、及び紙表面に画像を形成するプリント部と大きく分かれている。本説明では図４にてスキャナー部、図５にてプリント部、図６において全体の動作概要を説明する。
【００２１】
図４はＭＦＰの構成部であるスキャナー部の構造を模式的に示した図で、断面を示すものである。４０１はイメージスキャナー本体である。本入力部は上部に硝子等の透明材料で制作されている原稿台４０２があり、その上部に置かれた原稿４１６を押さえられる様に原稿押さえ４０３がある。４０３は蝶番４０４によって４０１と分離できないが可動にされ、原稿を原稿台に載せた後４０３によって抑えることが可能な様に構成される。図において原稿４１６は説明上浮いているように記載されているが、実際には原稿台４０２に密着させ置かれる。原稿台４０２に置かれた原稿４１６の表面にある画像は、反射ミラー４０９、４１０、４１２によって、反射させられ４１５の点線で示される経路に従ってＣＣＤ  ４０７に伝えられる。
【００２２】
また４１４はレンズであり原稿表面のイメージをＣＣＤ上に結像することができる。ＣＣＤでは一度に１ライン分の画像を読み取ることがき、ここで受光された画像はプリント回路基板４０６上に形成されている画像処理部でデジタルデータに変換され、インターフェースコネクタ４０５に接続されたプリンタ等の装置に伝達される。ここで反射ミラー４０９と４１０は不図示の駆動モータにギアを介して接続され読み取り原稿の副走査方向に直線移動可能な様に構成された第１可動部４０８に固定されている。また反射ミラー４１２はキセノンランプ等の光源４１３と共に第２可動部４１１に固定されている。第２可動部もまた前記駆動モータに前記とは別のギアを介して接続されていて第１可動部と同様に副走査方向に直線移動が可能なように構成される。ここで第１可動部４０８の移動速度は適切なギア構成によって第２可動部４１２の移動速度の半分に設定され光経路４１５の距離が一定に保たれるように構成されている。
【００２３】
第１可動部と第２可動部は共に一つのラインを読み取った後移動し、連続したラインを次々に読み取ることによって１枚の原稿を読み取ることができる。
【００２４】
図５はプリントエンジンの断面を模式的に示している。本実施例のプリンタは電子写真方式を採用している。又本プリントエンジンはカラーの各色ごとに感光ドラムが用意されている４連タンデム方式が採用されていて、前述の様にＹＭＣＫの基本色とそれらを組み合わせた多様な色印刷が可能な様に構成されている。各部について説明する。５０２〜５０５はトナーカートリッジである。後述の感光ドラム（５１１〜５１４）及び不図示のトナー収容部分・廃トナー収容部が一体化されたものであり、本体より脱着可能な様な構造になっている。５０６〜５０９はスキャナーユニットである。コントローラからの画像形成信号はスキャナーユニットに入り、内部にある不図示のレーザーダイオードの出力強度を変調させる。これによりレーザーダイオードから発せられるレーザー光線の強弱に置き換えられる。発せられたレーザー光線は、不図示のスキャニングミラーおよびｆ−θレンズ等の光学系により各感光ドラム（５１１〜５１４）に対して、軌跡５１９を通過し表面上を一方の端から他方の端へと走査される。５１１〜５１４は感光ドラムである。感光ドラムは不図示の回転機構により回転させられており、走査されたレーザー光線は感光ドラム上に順次潜像を形成してゆく。さらにトナーを吸着させることにより画像が現像され、各色の像が形成される。
【００２５】
５１５は用紙搬送ベルトであり、ローラー５１６及びローラー５１７によって移動させられる。このとき給紙ユニットからの用紙が搬送ベルト５１５上に供給されると、搬送ベルト５１５の移動に伴って、用紙自体も搬送ベルト５１５と共に移動して各色の感光ドラム（５１１〜５１４）に到達する。各感光ドラムに到着すると各感光ドラムに付着したトナーが用紙に転写される構造になっており、紙上にトナーによる画像が形成される。用紙が最上部に到達すると、不図示の定着ユニットによって用紙上にトナーが定着する。５１８は排紙ローラーであり、回転運動させることで、上端に達した印刷済み用紙を外部に出力する。５２０は用紙カセットである。印刷対象となる紙が複数枚積み重なり収容されている。又不図示の給紙機構により１枚１枚取り出されて後述の用紙搬送ベルト５１５に供給される。
【００２６】
図６は本発明の実施例を示す複合型印刷装置のシステム構成を説明するブロック図である。図６の上半分は図４のプリント回路基板５０６上に構成された電気回路についての構成を示すブロック図である。また下半分はプリンタ部の５０１の構成である。この図について説明する。６０１はスキャナーＣＰＵであり、ＲＯＭ６０２内部に格納されたプログラムによって画像入力部の全体を制御したり、ＣＣＤ４０７から読み取られた画像データを処理したり、プリンタとのインターフェースを制御したりする働きをする。６０３はプログラム実行時のワーク領域や読み込み済み画像データ、処理中間データ、出力データを記憶させておくＲＡＭである。６０４はプログラムの読み出しやデータの読み書きを行うシステムバスである。６０７はプリンタとのインターフェースを取るためのプリンターインターフェース部であり、ＣＰＵ６０１、ＲＯＭ６０２の制御の元にプリンタに読み取りデータを転送する。６０６は可動部４０８及び可動部４１１を移動させるモータを制御するためのモーターコントローラである。６０５はＣＣＤと読み込んだ輝度データをプリンタに印刷可能な濃度データに変換したり、多階調で入力された画像データをプリンタで処理可能なディザデータに変換したりする画像処理部である。６０８はスキャナーのＩＤ記憶部であり、機種を特定するＩＤ番号や属性値が格納されている。
【００２７】
プリンタ５０１において、６０９はプリンタＣＰＵで、ＲＯＭ６１１のプログラム用ＲＯＭに記憶された制御プログラム等或いはメモリーカード（ＭＣ）６３０に記憶された制御プログラム等に基づいてシステムバス６１３に接続される各種のデバイスとのアクセスを総括的に制御し、エンジンインターフェース６１８を介して接続される印刷部（プリントエンジン）６２８に出力情報としての画像信号を出力する。また、このＲＯＭ６１１のプログラムＲＯＭには、ＣＰＵ６０９の制御プログラム等を記憶する。ＲＯＭ６１１のフォント用ＲＯＭには上記出力情報を生成する際に使用するフォントデ−タ等を記憶し、ＲＯＭ６１１のデータ用ＲＯＭには動作に必要な制御情報等が格納されている。ＣＰＵ６０９はネットワークインターフェース（ＮＩＦ）６２６を利用してネットワーク６３４に接続可能であり、ネットワーク６３４を介して他の複写装置やプリンタ、パーソナルコンピュータ６３５との通信処理が可能となっている。イメージスキャナー４０１からの入力画像データやプリンタ内の情報等をそれらの装置に送信可能に構成されている。６１０はＣＰＵ６０９の主メモリ、ワークエリア等として機能するＲＡＭで、図示しない増設ポートに接続されるオプションＲＡＭによりメモリ容量を拡張することができるように構成されている。なお、ＲＡＭ６１０は、イメージスキャナー４０１からの入力画像データ、プリンタ動作時の出力情報展開領域、環境データ格納領域等に用いられる。メモリーカード（ＭＣ）６３０は、オプションとして接続され、フォントデータ、エミュレーションプログラム、フォームデータ等を記憶する。
【００２８】
また、前述した外部メモリは１個に限らず、少なくとも１個以上備え、内蔵フォントに加えてオプションフォントカード，言語系の異なるプリンタ制御言語を解釈するプログラムを格納した外部メモリを複数接続できるように構成されていても良い。さらに、図示しないＮＶＲＡＭを有し、操作パネル（Ｐａｎｅｌ）６２９からのプリンタモード設定情報を記憶するようにしても良い。６１２はリアルタイムクロックである。時間を計測し記憶しておく機能を持つ。
【００２９】
６１３はシステムバスでありＣＰＵが各インターフェースとのデータを送受信したりする事が出来る。６１４は５０１を駆動するための主電源である。電源制御部６３８からの制御信号によってオンオフすることが出来る。６１５は属性判定部６３６・ＳＩＤＲ６１６・ＯＩＤＲ１（６２２）・ＯＩＤＲ２（６２４）に電源を供給する補助電源である。主電源６１４は非連動で電源供給を行う事が出来る。６１６はスキャナー上にあるＩＤ記憶部（６０８）上のデータを読み取るためにスキャナーＩＤ読み取り部である。６１７はスキャナーインターフェースであり、スキャナー４０１からの画像データを受信したり、スキャナー４０１に対して制御情報を送信したりする。６１８はプリントエンジンとの信号をやり取りするエンジンインターフェース部である。６１９は操作パネル（Ｐａｎｅｌ）６２９のインターフェースである。６２０はメモリーカードインターフェース（ＭＣＩ／Ｆ）である。６２１はＨＤＤインターフェースである。ＨＤＤ６３１に対してデータの書き込みや読み出しの制御を行う事が出来る。
【００３０】
６２２はオプションＩＤ読み取り部（ＯＩＤＲ１）である。本実施例では印刷用紙を供給するペーパーデッキＰＤ（６３２）が接続され、ＰＤ６３２に内蔵されている不図示のＩＤ記憶部からＩＤ番号及び属性情報を読み出す事が出来る。６２３はオプションインターフェース（ＯＩＦ１）である。接続されたオプションを制御する事が出来る。前述の通りペーパーデッキ（ＰＤ）６３２を接続して使用する。
【００３１】
６２４はもう一つのオプションＩＤ読み取り部（ＯＩＤＲ２）である。本実施例では両面ユニット（ＤＵＰＬＥＸ）６３３が接続される。６３３上にある不図示のＩＤ記憶部からＩＤ番号及び属性情報を読み出す事が出来る。６２５は別のオプションインターフェース（ＯＩＦ２）である。接続されたオプションを制御する事が出来る。前述の通り両面ユニット（ＤＵＰＬＥＸ）６３３が接続されている。
【００３２】
６２６はネットワークインターフェースであり、ネットワーク６３４に接続してデータ送受信を行う事が出来る。またネットワーク６３４にはパーソナルコンピュータ６３５が接続されており、本ＭＦＰに対して印刷データを送る事が出来る。６３１はＨＤＤであり、スキャナー部４０１からの画像データ、パーソナルコンピュータ（ＰＣ）６３５からの印刷データ、各種制御情報等を記憶する事が出来る。６３６は属性判定部である。ＳＩＤＲ６１６・ＯＩＤＲ１（６２２）・ＯＩＤＲ２（６２４）を制御して、そこに接続されている機器からのＩＤ情報及び属性情報を取得する。６３６は補助電源６１５で駆動されるので主電源６１４が投入されていなくとも、補助電源により動作する事が出来る。
【００３３】
ＢＵＺ（６３７）はブザーである。電源制御部６３８の制御により警告音等を発生することが出来る。６３８は、電源制御部である。電源ＳＷ（６３９）の状態を判定及び属性判定部の判定結果を知ることが出来るように構成されている。又主電源６１４のオンオフ制御を行う事が出来る。さらには補助電源６１５で動作する事ができるようになっている。
【００３４】
これにより主電源の投入以前に接続された各機器のＩＤ情報及び属性情報を総合的に判断してある種の判定を下す事ができる。本実施例では各属性情報に含まれる消費電力情報を取得して総和を出して一定電力以上になった場合、及び不適切な組み合わせで接続している場合には主電源の投入を禁止する為の信号を出力する。又主電源の投入が不可能な場合には、６３７により警告を発生させ、使用者に異常事態を報知する事が出来る。
【００３５】
図７はパーソナルコンピュータの構成を示すブロック図である。内部構成を説明する。７０１はＣＰＵである。後述のＢＩＯＳＲＯＭ（７１５）に保持されているプログラムやＨＤＤ（７０７）に格納されＭａｉｎ  Ｍｅｍｏｒｙ（７０３）に呼び出されて保持されているプログラムに従って、ＰＣ全体の制御を行う。７０２はＭｅｍｏｒｙ  Ｃｏｎｔｒｏｌｌｅｒである。Ｍａｉｎ  Ｍｅｍｏｒｙ７０３の読み書き制御、Ｇｒａｐｈｉｃ  Ｃｏｎｔｒｏｌｌｅｒ７０４の読み書き制御、Ｉ／Ｏ  Ｃｏｎｔｒｏｌｌｅｒ７０６の読み書き制御等を行う。７０３はＭａｉｎ  Ｍｅｍｏｒｙである。ＨＤＤ（７０７）に格納されているプログラムを実行する際に読み出して保持させたり、プログラムが動作する際に作業領域として使用したり、処理対象のデータを記憶したり、出力データを記憶したりする。
【００３６】
７０４はＧｒａｐｈｉｃ  Ｃｏｎｔｒｏｌｌｅｒ  である。ユーザーとのインターフェースをとる場合に使用され、文字図形等の表示をＭｏｎｉｔｏｒ７０５に対して行い、ユーザーに必要な情報を伝達する。Ｇｒａｐｈｉｃ  Ｃｏｎｔｒｏｌｌｅｒ７０４は内部に不図示のＧｒａｐｈｉｃ  Ｍｅｍｏｒｙを有する。ここには表示対処となる表示データが記憶されており、適宜Ｇｒａｐｈｉｃ  Ｃｏｎｔｒｏｌｌｅｒ７０４に呼び出される。７０５はＭｏｎｉｔｏｒである。Ｇｒａｐｈｉｃ  Ｃｏｎｔｒｏｌｌｅｒ７０４の制御により文字、図形、画像、動画像等の表示を行う。７０６はＩ／Ｏ  Ｃｏｎｔｒｏｌｌｅｒである。後に詳述するように、ＨＤＤ（７０７）の読み書き制御、ＵＳＢ  Ｄｅｖｉｃｅ７０８の読み書き制御、ＦＤＤ７０９の読み書き制御、ＭＯＵＳＥ７１０の入出力制御、ＫＢ７１１の入出力制御、Ｐｒｉｎｔｅｒ７１８の入出力制御、ＰＣＩ  Ｓｌｏｔ７１２〜７１４を接続するＰＣＩ  ＢＵＳの制御、ＢＩＯＳ  ＲＯＭの読み書き制御等を行う。ＨＤＤ（７０７）はハードディスクドライブである。Ｉ／Ｏ  ＣｏｎｔｒｏｌｌｅｒとはＩＤＥインターフェースによって接続される。内部にはパーソナルコンピュータ全体の基本制御を行うＯＳ（オペレイティングシステム）や高度なデータ処理を行うアプリケーションプログラム、プリンタ等の入出力機器を制御するためのドライバープログラム、それらのプログラムの実行に必要なデータや、ユーザーが作成したデータが記憶されている。ＵＳＢ  Ｄｅｖｉｃｅ７０８とはＵＳＢインターフェースに接続可能な入出力機器一般を総称している。ユーザーは必要に応じて入出力機器を接続して使用する。これらの機器にはキーボード、マウス、イメージスキャナー、デジタルカメラ、フィルムスキャナー、プリンタ、ＣＤＲＯＭ  Ｄｒｉｖｅ、ＤＶＤ  Ｄｒｉｖｅ、拡張ＨＤＤ、外付けＦＤＤ、ＩＣカード等がある。７０９はＦＤＤである。脱着可能な記憶媒体であるフロッピー(登録商標)ディスクに読み書きを行う事が出来る。
【００３７】
７１０はポインティングデバイスであるＭＯＵＳＥである。但し同様な機能を持つポインティングデバイスであるなら何でも良い。ＯＳの制御によりＭｏｎｉｔｏｒと協調して使用することによりユーザーとパーソナルコンピュータが会話的にインターフェースをとることが出来る。７１１は、キーボードである。ユーザーが所望のキーを打鍵することにより、対応する文字コードを入力することが出来る。７１２〜７１４はＰＣＩ  Ｓｌｏｔである。Ｉ／Ｏコントローラ７０６とはＰＣＩ  ＢＵＳを経由して接続される。ＰＣＩ  Ｓｌｏｔには上記バスに対応してデータの読み書きができ、様々な機能を追加で提供する事が可能なプリント基板を装着可能な様に構成されている。７１５はＢＩＯＳ  ＲＯＭである。最下層である低機能のＩ／Ｏ制御プログラムが記憶されており、ＣＰＵが実行可能な様に読み出すことが出来る。又初期プログラムが格納され、電源投入後に起動可能な様に構成されている。７１６は、ネットワークコントローラ（ＮＣ）である。インターネット網に対して物理的なインターフェースや、インターネット接続の為の制御プロトコルの内最下層の部分を実行可能なようになっている。さらに上位の接続プロトコルに関しては、ＨＤＤ７０７内部に記憶された制御プログラムに従ってＣＰＵ７０１が実行する。
【００３８】
上記の如く構成された機器において、本発明に関わる動作を図８フローチャートを用いて説明する。ステップＳ８０１では、操作者がＭＦＰに付いている電源スイッチ（６３９）を押下する。
【００３９】
ステップＳ８０２では、電源制御部６３８が属性判定部６３６に対して、不図示の信号線を経由して、電源ＳＷ（６３９）が押下された旨を報知する。
【００４０】
ステップＳ８０３では、属性判定部６３６がＳＩＤＲ６１６を利用してスキャナー４０１に内蔵されたＩＤ６０８から属性情報を読み出し記憶する。この属性情報内部には４０１が消費するスキャナー消費電力量が含まれている。
【００４１】
ステップＳ８０４では、ＯＩＤＲ１（６２２）を利用してＰＤ６３２内部に記憶されている属性情報特にペーパーデッキ消費電力量を読み出し記憶する。
【００４２】
ステップＳ８０５では、ＯＩＤＲ２（６２４）を利用してＤＵＰＬＥＸ６３３内部に記憶されている属性情報特に両面ユニット消費電力量を読み出して記憶する。
【００４３】
ステップＳ８０６では、スキャナー消費電力量・ペーパーデッキ消費電力量・両面ユニット消費電力量の総和を計算して所定の電力量を超えないか否かを判定する。超えた場合には電源投入不可能と判断して、ステップＳ８０８へ進む。電源投入可能であると判断された場合にはステップＳ８０７に進む。ステップＳ８０７では主電源６１４を投入して動作を開始させる。
【００４４】
ステップＳ８０８では、電源制御部６３８がブザー６３７を制御して、警告音を発生させる。
【００４５】
以上が本実施例の動作である。
【図面の簡単な説明】
【００４６】
【図１】本発明の一実施例の形態を模式的に示した図である。
【図２】本発明の一実施例であるデジタルカメラの構成を説明する図である。
【図３】本発明の一実施例である動作の説明を行うためのフローチャートである。
【図４】本発明の一実施例であるＭＦＰのイメージスキャナー部のプリンタの構造を示す断面図である。
【図５】本発明の一実施例であるＭＦＰのプリントエンジンの構成を説明するブロック図である。
【図６】本発明の一実施例であるＭＦＰの制御構成を説明するブロック図である。
【図７】本実施例を適用可能なパーソナルコンピュータの構成を説明するブロック図である。
【図８】本実施例の動作の説明を行うためのフローチャートである。
【符号の説明】
【００４７】
１０１  接続装置
１０２  デジタルカメラ
１０３  属性記憶部
１０４  記憶部
２０１  測光回路
２０２  絞り制御部
２０３  測距回路
２０４  焦点制御部
２０５  コントローラ部
２０６  補正回路
２０７  操作部
２０８  表示部
２０９  インターフェース部
２１０  ＥＥＰＲＯＭ
２１１  イメージセンサー
２１２  メモリーカード（ＭＣ）
２１３  補助電源
２１４  属性判定部
２１５  主電源制御部
２１６  電源スイッチ
２１７  主電源
２１８  ＬＥＤ
【図１】
2007014150.tif 000003
【図２】
2007014150.tif 000004
【図３】
2007014150.tif 000005
【図４】
2007014150.tif 000006
【図５】
2007014150.tif 000007
【図６】
2007014150.tif 000008
【図７】
2007014150.tif 000009
【図８】
2007014150.tif 000010